(57)【特許請求の範囲】
【請求項１】
地盤改良用ドレーン材に通じる吸水パイプと、該吸水パイプを通して吸引された水を貯留する貯水槽と、該貯水槽内の水を駆動水とするエジェクターポンプと、該貯水槽内の水を排出する排水ポンプとを備え、前記エジェクターポンプの吸引ポートに前記吸水パイプを連通させ、前記エジェクターポンプを作動させて前記吸水パイプ内を減圧させ、かつ該エジェクターポンプの排水ポートからの排水を前記貯水槽内に吐出させることにより該貯水槽内の水を前記エジェクターポンプの駆動水として循環使用する地盤改良用負圧駆動装置において、
前記エジェクターポンプを前記貯水槽内の底部に設置し、該エジェクターポンプの駆動水取り入れ口を該貯水槽内の水面下に開口させ、
且つ前記エジェクターポンプの排水ポートを前記水面上に開口させたことを特徴とするエジェクターポンプを使用した地盤改良用負圧駆動装置。
【請求項２】
前記貯水槽内に、前記エジェクターポンプが設置され、吸水パイプを通して吸引された水を貯留する吸水貯留部と、内部の水が前記排水ポンプにより排水される排水部とが、所定の高さの溢流堰を隔てて設置され、該溢流堰を越えて前記排水部に流れ出た水を前記排水ポンプにより排出させることにより前記貯水槽内のエジェクターポンプ部分の水位を前記駆動水取り入れ口より高く維持させるようにした請求項１に記載のエジェクターポンプを使用した地盤改良用負圧駆動装置。
【請求項３】
前記貯水槽内には天井より水面下に到る垂れ壁を設け、該貯水槽内のエジェクターポンプから吐出される水の飛散を防止した請求項２に記載のエジェクターポンプを使用した地盤改良用負圧駆動装置。
【請求項４】
前記排水ポンプとエジェクターポンプとを連続した槽内に設置し、該排水ポンプの排水取り入れ口を、前記エジェクターポンプの駆動水取り入れ口より高くすることによって前記貯水槽内の水位を前記駆動水取り入れ口より高く維持させるようにした請求項１に記載のエジェクターポンプを使用した地盤改良用負圧駆動装置。
【請求項５】
前記エジェクターポンプの駆動水を発生させる装置として前記貯水槽内の底部に設置した揚水ポンプを使用する請求項１〜４の何れか１に記載のエジェクターポンプを使用した地盤改良用負圧駆動装置。
【請求項６】
前記揚水ポンプは、底部にポンプユニットを有し、該ポンプユニットの上面にポンプ駆動モータを設置するとともに、前記ポンプユニットの上面に送水口を有し、且つ該ポンプユニットの下部に前記駆動水取り入れ口を開口させた形態のものを使用し、該ポンプユニットに前記エジェクターポンプのエジェクターを縦向きにして固定し、該エジェクターの駆動水供給口を前記送水口に連通させた請求項５に記載のエジェクターポンプを使用した地盤改良用負圧駆動装置。
【請求項７】
前記貯水槽を気密構造とし、該貯水槽内をその内部の空気を吸引して減圧する減圧ポンプを備えた請求項１〜６の何れか１に記載のエジェクターポンプを使用した地盤改良用負圧駆動装置。
【請求項８】
地盤改良用ドレーン材に通じる吸水パイプと、該吸水パイプを通して吸引された水を貯留する貯水槽と、該貯水槽内の水を駆動水とするエジェクターポンプと、該貯水槽内の水を排出する排水ポンプとを備え、前記エジェクターポンプの吸引ポートに前記吸水パイプを連通させ、前記エジェクターポンプを作動させて前記吸水パイプ内を減圧させ、かつ該エジェクターポンプの排水ポートからの排水を前記貯水槽内に吐出させることにより該貯水槽内の水を前記エジェクターポンプの駆動水として循環使用する地盤改良用負圧駆動装置において、
２連の第一貯水槽と第二貯水槽を備え、該両貯水槽内に、前記エジェクターポンプを共に備え、
各エジェクターポンプを前記貯水槽内の底部に設置し、該エジェクターポンプの駆動水取り入れ口を該貯水槽内の水面下に開口させ、
且つ前記エジェクターポンプの排水ポートを前記水面上に開口させ、
前記第一貯水槽を気密構造とするとともに、第二貯水槽内のエジェクターポンプの吸引ポートに、前記第一貯水槽内に連通させた連結パイプの端部を連結し、第一貯水槽内のエジェクターポンプの吸引ポートにドレーン材からの吸水パイプを連結し、前記第二貯水槽内の水を排水ポンプによって排出させるようにしたことを特徴とするエジェクターポンプを使用した地盤改良用負圧駆動装置。
【発明の詳細な説明】
【技術分野】
【０００１】
本発明は、真空圧密工法におけるドレーン材に通じる吸水パイプからエジェクターポンプを使用して水を吸引させる地盤改良用負圧駆動装置に関する。
【背景技術】
【０００２】
従来、地盤改良技術として真空圧密工法が広く知られている。この工法は、軟弱地盤中に埋め込んだドレーン材の端部に吸引パイプを連結し、その吸引パイプ内を減圧して圧密を促進させることによって軟弱地盤を早期に改良する工法である（例えば特許文献１）。
【０００３】
この工法では、吸引パイプ内を減圧する手段として気密室とその内部を減圧する真空ポンプを使用し、吸引パイプを気密室に連結させた状態で真空ポンプを作動させることによって地盤中に負圧を作用させている。
【０００４】
また、近年において、真空圧密工法による地盤内の減圧手段としてエジェクターポンプを使用した方法が開発されている（特許文献２）。
【０００５】
更に、エジェクターポンプを使用して深井戸から揚水し、この揚水を貯留槽に貯め、貯められた揚水をエジェクターの駆動水として循環させて使用し、貯留槽内の水位が所定の上限水位に達すると自動的に排水ポンプを作動させて所定の下限水位に達するまで排水する方法が知られている（特許文献３）。
【先行技術文献】
【特許文献】
【０００６】
【特許文献１】特開２００１−２２６９５１号公報
【特許文献２】特開２０１２−９６１４２号公報
【特許文献３】特開２００６−３４８８１４号公報
【発明の開示】
【発明が解決しようとする課題】
【０００７】
上述した特許文献１に記載されているような気密室と真空ポンプを使用する方法では、真空ポンプによって減圧された気密室内に集まる水を排水しなければならないため、高揚程の排水ポンプ等、高い排水能力を有する排水ポンプが必要であり，負圧駆動の真空ポンプと高揚程の揚水ポンプに係る費用が高価であり、また負圧駆動装置として，真空ポンプを用いる場合，地盤改良期間中において，冷却水を取り換えるなどの定期的なメンテナンスに手間がかかるという問題があった。
【０００８】
特許文献２に示されているようなエジェクターポンプを使用した真空圧密工法の負圧駆動装置では、駆動水を十分に供給できる水の供給源を確保するか、又は処理水を循環して使用しようとした場合、循環水の貯水場所を別途確保しないと実現できないという問題があった。
【０００９】
更に、特許文献３のようなエジェクターポンプを使用して揚水する方法では、エジェクターからの排出水をタンク上面から下方の液面に向かって噴射させる形態であるため，エジェクター取付位置が高いことによって生じる負圧の損失が大きいことや、タンク内の水位を一定に保つためのセンサーが必要となる等の問題があった。
【００１０】
また、エジェクターポンプのみによる減圧であるため、エジェクターポンプにより発生させる負圧が十分でない場合において、タンク内の負圧を更に付加することができないという問題があった。
【００１１】
本発明はこのような従来の問題に鑑み、エジェクターポンプによる減圧によって吸引されて貯められたた貯水槽内の水を排出するためのポンプとして、高揚程の排水用ポンプを使用することなく排水でき、エジェクターポンプの排水のための背圧が少なくて駆動水を効率よく吸水力に変換でき、吸水効率が高いエジェクターポンプを使用した地盤改良用負圧駆動装置の提供を目的としてなされたものである。
【課題を解決するための手段】
【００１２】
上述の如き従来の問題を解決するための請求項１の発明の特徴は、地盤改良用ドレーン材に通じる吸水パイプと、該吸水パイプを通して吸引された水を貯留する貯水槽と、該貯水槽内の水を駆動水とするエジェクターポンプと、該貯水槽内の水を排出する排水ポンプとを備え、前記エジェクターポンプの吸引ポートに前記吸水パイプを連通させ、前記エジェクターポンプを作動させて前記吸水パイプ内を減圧させ、かつ該エジェクターポンプの排水ポートからの排水を前記貯水槽内に吐出させることにより該貯水槽内の水を前記エジェクターポンプの駆動水として循環使用する地盤改良用負圧駆動装置において、前記エジェクターポンプを前記貯水槽内の底部に設置し、該エジェクターポンプの駆動水取り入れ口を該貯水槽内の水面下に開口させ、且つ該エジェクターポンプの排水ポートを前記水面上に開口させたことにある。
【００１３】
請求項２の発明の特徴は、請求項１の構成に加え、前記貯水槽内に、前記エジェクターポンプが設置され、吸水パイプを通して吸引された水を貯留する吸水貯留部と、内部の水が前記排水ポンプにより排水される排水部とが、所定の高さの溢流堰を隔てて設置され、該溢流堰を越えて前記排水部に流れ出た水を前記排水ポンプにより排出させることにより前記貯水槽内のエジェクターポンプ部分の水位を前記駆動水取り入れ口より高く維持させるようにしたことにある。
【００１４】
請求項３の発明の特徴は、請求項２の構成に加え、貯水槽内には天井より水面下に到る垂れ壁を設け、該貯水槽内のエジェクターポンプから吐出される水の飛散を防止したことにある。
【００１５】
請求項４の発明の特徴は、請求項１の構成に加え、前記排水ポンプとエジェクターポンプとを連続した槽内に設置し、該排水ポンプの排水取り入れ口を、前記エジェクターポンプの駆動水取り入れ口より高くすることによって前記貯水槽内の水位を前記駆動水取り入れ口より高く維持させるようにした請求項１に記載のエジェクターポンプを使用したことにある。
【００１６】
請求項５の発明の特徴は、請求項１〜４の構成に加え、前記エジェクターポンプの駆動水を発生させる装置として前記貯水槽内の底部に設置した揚水ポンプを使用する請求項１〜３の何れか１に記載のエジェクターポンプを使用した地盤改良用負圧駆動装置。
【００１７】
請求項６の発明の特徴は、請求項５の構成に加え、前記揚水ポンプは、底部にポンプユニットを有し、該ポンプユニットの上面にポンプ駆動モータを設置するとともに、前記ポンプユニットの上面に送水口を有し、且つ該ポンプユニットの下部に前記駆動水取り入れ口を開口させた形態のものを使用し、該ポンプユニットに前記エジェクターポンプのエジェクターを縦向きにして固定し、該エジェクターの駆動水供給口を前記送水口に連通させたことにある。
【００１８】
請求項７の発明の特徴は、請求項１〜６の何れか１の構成に加え、貯水槽を気密構造とし、該貯水槽内をその内部の空気を吸引して減圧する減圧ポンプを備えたことにある。
【００１９】
請求項８の発明の特徴は、地盤改良用ドレーン材に通じる吸水パイプと、該吸水パイプを通して吸引された水を貯留する貯水槽と、該貯水槽内の水を駆動水とするエジェクターポンプと、該貯水槽内の水を排出する排水ポンプとを備え、前記エジェクターポンプの吸引ポートに前記吸水パイプを連通させ、前記エジェクターポンプを作動させて前記吸水パイプ内を減圧させ、かつ該エジェクターポンプの排水ポートからの排水を前記貯水槽内に吐出させることにより該貯水槽内の水を前記エジェクターポンプの駆動水として循環使用する地盤改良用負圧駆動装置において、２連の第一貯水槽と第二貯水槽を備え、該両貯水槽内に、前記エジェクターポンプを共に備え、各エジェクターポンプを前記貯水槽内の底部に設置し、該エジェクターポンプの駆動水取り入れ口を該貯水槽内の水面下に開口させ、且つ前記エジェクターポンプの排水ポートを前記水面上に開口させ、前記第一貯水槽を気密構造とするとともに、第二貯水槽内のエジェクターポンプの吸引ポートに、前記第一貯水槽内に連通させた連結パイプの端部を連結し、第一貯水槽内のエジェクターポンプの吸引ポートにドレーン材からの吸水パイプを連結し、前記第二貯水槽内の水を排水ポンプによって排出させるようにしたことにある。
【発明の効果】
【００２０】
本発明は請求項１のように、地盤改良用ドレーン材に通じる吸水パイプと、該吸水パイプを通して吸引された水を貯留する貯水槽と、該貯水槽内の水を駆動水とするエジェクターポンプと、該貯水槽内の水を排出する排水ポンプとを備え、前記エジェクターポンプの吸引ポートに前記吸水パイプを連通させ、前記エジェクターポンプを作動させて前記吸水パイプ内を減圧させ、かつ該エジェクターポンプの排水ポートからの排水を前記貯水槽内に吐出させることにより該貯水槽内の水を前記エジェクターポンプの駆動水として循環使用するようにし、前記エジェクターポンプを前記貯水槽内の水底部に設置するとともに、前記エジェクターポンプを前記貯水槽内の底部に設置し、該エジェクターポンプの駆動水取り入れ口を該貯水槽内の水面下に開口させ、且つ該エジェクターポンプの排水ポートを前記水面上に開口させたことにより、貯水槽は減圧されず、そのため排水ポンプとして高揚程能力を要せず、低価格でメンテナンスの必要がない揚水ポンプを使用できる。
【００２１】
また、エジェクターポンプを貯水槽内の水を駆動水として連続稼働させることができ、エジェクターポンプによる負圧を駆動させる際に、豊富な水の供給源を必要とせず、かつ吸水パイプを通して吸引された水を循環して使用するための貯水場所の確保を必要としない。
【００２２】
更に、エジェクターポンプの排水ポートが、常に貯留水Ｂの水面上に出た状態となるため、駆動水の排出の際の抵抗（背圧）が、水面下にある場合に比べて小さくなり、エジェクターポンプの能力を低下させずに効率よく稼働させることができる。
【００２３】
本発明は、請求項２のように、貯水槽内に、前記エジェクターポンプが設置され、吸水パイプを通して吸引された水を貯留する吸水貯留部と、内部の水が前記排水ポンプにより排水される排水部とが、所定の高さの溢流堰を隔てて設置され、該溢流堰を越えて前記排水部に流れ出た水を前記排水ポンプにより排出させることによって、前記貯水槽内のエジェクターポンプ部分の水位を前記駆動水取り入れ口より高く維持させるようにしたことにより、貯水槽内の吸水貯留部の水位をエジェクターポンプの高さとの関係において、所定の高さに保つことが容易となる。
【００２４】
本発明は請求項３のように貯水槽内には天井より水面下に到る垂れ壁を設け、該貯水槽内のエジェクターポンプから吐出される水の飛散を防止したことにより、エジェクターポンプから空中に吐出されて飛散する駆動水を、排水部に飛び込ませずに吸水貯留部に戻すことができる。
【００２５】
本発明は、請求項４のように、前記排水ポンプとエジェクターポンプとを連続した槽内に設置し、該排水ポンプの排水取り入れ口を、前記エジェクターポンプの駆動水取り入れ口より高くすることによって前記貯水槽内の水位を前記駆動水取り入れ口より高く維持させるようにした請求項１に記載のエジェクターポンプを使用したことにより、貯水槽内の吸水貯留部の水位をエジェクターポンプの高さとの関係において、所定の高さに保つことが容易となる。
【００２６】
本発明は請求項５のように、エジェクターポンプの駆動水を発生させる装置として前記貯水槽内の底部に設置した揚水ポンプを使用することにより、市場に多く提供されている汎用の揚水ポンプが利用できて入手が容易であり、特別に設計し製造する必要がなく経済性が高い。
【００２７】
本発明は、請求項６のように、前記揚水ポンプは、底部にポンプユニットを有し、該ポンプユニットの上面にポンプ駆動モータを設置するとともに、前記ポンプユニットの上面に送水口を有し、且つ該ポンプユニットの下部に前記駆動水取り入れ口を開口させた形態のものを使用し、該ポンプユニットに前記エジェクターポンプのエジェクターを縦向きにして固定し、該エジェクターの駆動水供給口を前記送水口に連通させたことにより、貯水槽の底面に近い低い位置にエジェクターを設置でき吸引ポートが低いため、ドレーン材からの水の揚程による負圧損失が少ない。
【００２８】
本発明は、請求項７のように貯水槽を気密構造とし、該貯水槽内をその内部の空気を吸引して減圧する減圧ポンプを備えることにより、例えばドレーン材部分の気密漏れ等により、吸水のための圧駆動負圧が一時的に不足している場合に、気密漏れが修復できるまで、真空ポンプを稼働させて貯水槽内を減圧し、吸水のための負圧を補わせることができる。
【００２９】
本発明は、請求項８のように、地盤改良用ドレーン材に通じる吸水パイプと、該吸水パイプを通して吸引された水を貯留する貯水槽と、該貯水槽内の水を駆動水とするエジェクターポンプと、該貯水槽内の水を排出する排水ポンプとを備え、前記エジェクターポンプの吸引ポートに前記吸水パイプを連通させ、前記エジェクターポンプを作動させて前記吸水パイプ内を減圧させ、かつ該エジェクターポンプの排水ポートからの排水を前記貯水槽内に吐出させることにより該貯水槽内の水を前記エジェクターポンプの駆動水として循環使用する地盤改良用負圧駆動装置において、２連の第一貯水槽と第二貯水槽を備え、該両貯水槽内に、前記エジェクターポンプを共に備え、各エジェクターポンプを前記貯水槽内の底部に設置し、該エジェクターポンプの駆動水取り入れ口を該貯水槽内の水面下に開口させ、且つ前記エジェクターポンプの排水ポートを前記水面上に開口させ、前記第一貯水槽を気密構造とするとともに、第二貯水槽内のエジェクターポンプの吸引ポートに、前記第一貯水槽内に連通させた連結パイプの端部を連結し、第一貯水槽内のエジェクターポンプの吸引ポートにドレーン材からの吸水パイプを連結し、前記第二貯水槽内の水を排水ポンプによって排出させるようにしたことにより、第一貯水槽内を第二貯水槽のエジェクターポンプによって減圧させることができ、これによって吸水のための圧駆動負圧を高めることができるとともに、排水ポンプがある第二貯水槽内は、減圧されないため、その内部の排水ポンプには高揚程能力を有するものを使用する必要がなく、経済性が高い。
【図面の簡単な説明】
【００３０】
【図１】本発明に係るエジェクターポンプを使用した地盤改良用負圧駆動装置の第一実施例の概略を示す断面図である。
【図２】同上のエジェクターポンプ部分を示す側面図である。
【図３】同上のエジェクターを示す断面図である。
【図４】本発明に係るエジェクターポンプを使用した地盤改良用負圧駆動装置の第二実施例の概略を示す断面図である。
【図５】同第三実施例の概略を示す断面図である。
【図６】同第四実施例の概略を示す断面図である。
【図７】同第五実施例の概略を示す断面図である。
【発明を実施するための最良の形態】
【００３１】
本発明に係る地盤改良用負圧駆動装置の実施の形態を図面について説明する。
【００３２】
図１〜図３は本発明の第一実施例を示している。図において符号１は、真空圧密工法によって改良しようとする軟弱地盤を示し、２は、軟弱地盤中に埋設したドレーン材２を示している。ドレーン材２は、上端部に気密性が維持できる不透水部３を除き、接触する地盤中の水が内部に浸透することができる材料により透水部４によって形成されている。不透水部３は外周面が不透水性材料によって被覆され、内部は通水可能な状態となっている。
【００３３】
不透水部３の端部は、気密性を維持した状態で吸水パイプ５が連結されている。この吸水パイプ５は、図には詳示してないが、多数のドレーン材に連結したものを１本の吸水パイプに連結し、その端部が本発明に係る地盤改良用負圧駆動装置Ａに連結されている。
【００３４】
地盤改良用負圧駆動装置Ａは、貯水槽１０と、その底部に収容したエジェクターポンプ１１とを有している。エジェクターポンプ１１は、エジェクター１２とこれに駆動水を供給する駆動水供給ポンプ１３とから構成されている。駆動水供給ポンプ１３には駆動水取り入れ口１７が低い位置にある揚水ポンプを使用している。
【００３５】
この駆動水供給ポンプ１３は図２に示すように、底部にポンプユニット１４を有している。ポンプユニット１３図には詳示されてないが、内部に駆動モータ１５によって動作される水流発生機構が収容されは、底部に駆動水取り入れ口１７が横向きに開口され、上面に前記ポンプ駆動モータ１５が搭載されているとともに送水口１６が形成され、この送水口１６にエジェクター１２が縦向きに連結されている。
【００３６】
エジェクター１２は、図３に示すように中空のエジェクター本体２０内が真空室２１となっており、その一方から駆動水供給ノズル２２が挿入され、他方からディフューザー（混合管）２３が挿入され、ディフューザー２３の絞り部２４に向けて駆動水供給ノズル２２から高速の駆動水が噴射されるようになっており、この駆動水がディフューザー２３内に吐出されることによって真空室２１内が減圧されるようになっている。
【００３７】
この真空室２１に設けられた吸引ポート２７に、前述したドレーン材２に連通させた吸水パイプ５の端部が気密性を維持させて連結されており、駆動水供給ノズル２２からディフューザー２３に駆動水が噴射されることによって真空室２１が減圧され、吸水パイプ５を通して吸引するとともにドレーン材２内を減圧し、これによって軟弱地盤の圧密が促進されるようになっている。
【００３８】
ディフューザー２３の排水ポート２５はラッパ状に拡開された形状をしており、駆動水は減速されてこの排水ポート２５から貯留水排出されるようになっている。
【００３９】
このように構成されるエジェクター１２はポンプユニット１４に対し、駆動水供給ノズル２２に通じる駆動水供給ポート２６をポンプユニット１４の上向きの送水口１６に連通させて上向きに固定されている。
【００４０】
エジェクター１２のディフューザー２３にある上向きの排水ポート２５が、貯水槽１０内の貯留水Ｂの水面より高い位置の気中に解放されている。
【００４１】
貯水槽１０内は、エジェクターポンプ１１による吸水によってドレーン材２からの水が貯留されるが、その貯留水Ｂは排水ポンプ２８（図１に示す）によって貯水槽１０内から排出されるようになっている。排水ポンプ２８としては、底部外周に排水取り入れ口２９があり、その排水取り入れ口２９に備えたセンサーによって水を検知した時に自動的に作動する揚水ポンプが使用できる。
【００４２】
貯水槽１０内には、エジェクターポンプ１１によって吸引された水を貯留するための吸水貯留部３０と、これに隣接して貯水槽１０内の水を前述した排水ポンプ２８によって排出する排水部３１が備えられている。
【００４３】
吸水貯留部３０と排水部３１との間は、溢流堰３２によって仕切られ、吸水貯留部３０内の水位が溢流堰３２より高くなると、その分だけ溢流堰３２を越えて排水部３１に流れ出すようになっており、これによって吸水貯留部３０内の水位は、溢流堰３２の高さと同じになるように維持されるようになっている。
【００４４】
この溢流堰３２によって吸水貯留部３０内の水位が、前述したエジェクターポンプ１１の駆動水１７が常に水没する高さ、即ち駆動水取り入れ口１７より高い水位に保たれるようにしている。
【００４５】
また、エジェクターポンプ１１に対する貯水槽１０内の水位維持のための構造は、図４に示すように、仕切りのない貯水槽１０内に排水ポンプ２８とエジェクターポンプ１１とを共に設置し、排水ポンプ２８の排水取り入れ口２９の高さを所定の高さ以上とすることによって貯水槽１０内の水位をエジェクターポンプ１１の駆動水取り入れ口１７が常に水没する高さに維持させるようにしてもよい。
【００４６】
貯水槽１０は、天板３５によって上部が閉鎖されており、その天板３５の下面から吸水貯留部３０の水面下に到る垂れ壁３６が設置されている。この垂れ壁３６は、エジェクターポンプ１１のディフューザー２３から上向きに噴出される駆動水とドレーン材から吸引された水とが混合された水が天板３５に当って飛散した時に、その水が排水部３１側に入るのを防止するものであり、溢流堰３２とディフューザー２３との間に天板３５から垂下された状態に配置されている。
【００４７】
このように構成される地盤改良用負圧駆動装置の初期作動時にはエジェクターポンプ１１が作動可能な水位、即ちポンプユニット１４の駆動水取り入れ口１７が常に貯留水Ｂの水面下となる水位まで予備水を吸水貯留部３０内に注入しておく。
【００４８】
次いでエジェクターポンプ１１の駆動水供給ポンプ１３を作動させてエジェクター１２内に駆動水を送り込む。これによってエジェクター１２の真空室２１内が減圧され、これに通じている吸水パイプ５内が減圧され、ドレーン材２内の水（ドレーン）を吸い上げる。
【００４９】
この吸い上げられドレーンは、真空室２１から駆動水と共にディフューザー２３内から排水ポート２５を通り貯水槽１０内の水面上に噴出され、落下して貯水槽１０内に貯留される。
【００５０】
貯水槽１０内に貯められた貯留水Ｂが溢流堰３２より高くなると、その上を乗り越えて排水部３１に流れ込み、排水部３１内の水位が一定以上、例えば排水ポンプ２８の排水取り入れ口２９の高さに達すると、排水ポンプ２８が作動して貯水槽１０内から排出される。
【００５１】
この地盤改良用負圧駆動装置では、エジェクターポンプ１１による吸引圧を利用してドレーン材２内から吸水するため、貯水槽１０は減圧されず、排水ポンプ２８として高揚程能力を要せず、低価格でメンテナンスの必要がない揚水ポンプを使用できる。
【００５２】
また、エジェクターポンプ１１の駆動水取り入れ口１７が常に貯水槽１０内の水面下にあるため、エジェクターポンプ１１を貯水槽１０内の水を駆動水として連続稼働させることができ、エジェクターポンプ１１による負圧を駆動させる際に、豊富な水の供給源を必要とせず、かつドレーン材から吸引した水を循環して使用するための貯水場所の確保を必要としない。
【００５３】
更に、ディフューザー２３の排水ポート２５が、常に貯留水Ｂの水面上に出た状態となるため、駆動水の排出の際の抵抗（背圧）が、水面下にある場合に比べて小さくなり、エジェクターポンプ１１の能力を低下させずに効率よく利用することができる。
【００５４】
更に、エジェクターポンプ１１を貯水槽１０内の底部に設置することで、吸引ポート２７を貯水槽１０内の低い部分に位置させることができるため、ドレーン材２からの揚程を低くでき、吸水時の負圧損失を低減できる。
【００５５】
更に、図５に示すように貯水槽１０を半地下又は地下構造とすることによって、ドレーン材２からの揚程をより低いものとすることができ、吸水時の負圧損失を低減できる。
【００５６】
尚、前述した貯水槽１０を気密構造とし、図６に示すように貯水槽１０内を真空ポンプ４０にて減圧させるようにしてもよく、これによって、例えばドレーン材部分の気密漏れ等により、吸水のための圧駆動負圧が一時的に不足したような場合に、気密漏れが修復できるまで、真空ポンプ４０を稼働させることにより貯水槽１０内を減圧して吸水のための負圧を補わせることができる。
【００５７】
また、図７に示すように、２連の第一貯水槽１０ａと第二貯水槽１０ｂを使用し、第一貯水槽１０ａを気密構造とするとともに排水部３１内には排水ポンプの代わりに、第二貯水槽１０ｂ内のエジェクターポンプ１１の吸引ポート２７に連通させた連結パイプ４１の端部を連結し、第一貯水槽１０ａ内のエジェクターポンプ１１の吸引ポート２７に前述と同様にドレーン材からの吸水パイプ５を連結してもよい。
【００５８】
図７において、図１〜図３と同一部分には同一符号を付して重複説明を省略する。
【００５９】
この場合においては、第一貯水槽１０ａ内の水を第二貯水槽１０ｂ内のエジェクターポンプ１１によって吸引させ、第二貯水槽１０ｂ内の排水部３１内の水を排水ポンプ２８によって排水させることにより、第一貯水槽１０ａ内を第二貯水槽１０ｂのエジェクターポンプ１１によって減圧させることができ、これによって吸水のための駆動負圧を高めることができるとともに、排水ポンプ２８がある第二貯水槽１０ｂは、減圧されないため、その内部の排水ポンプ２８は高揚程能力を要せず、経済性が高い。
【符号の説明】
【００６０】
Ａ  地盤改良用負圧駆動装置
Ｂ  貯留水
１  軟弱地盤
２  ドレーン材
３  不透水部
４  透水部
５  吸水パイプ
１０  貯水槽
１０ａ  第一貯水槽
１０ｂ  第二貯水槽
１１  エジェクターポンプ
１２  エジェクター
１３  駆動水供給ポンプ
１４  ポンプユニット
１５  ポンプ駆動モータ
１６  送水口
１７  駆動水取り入れ口
２０  エジェクター本体
２１  真空室
２２  駆動水供給ノズル
２３  ディフューザー
２４  絞り部
２５  排水ポート
２６  駆動水供給ポート
２７  吸引ポート
２８  排水ポンプ
２９  排水取り入れ口
３０  吸水貯留部
３１  排水部
３２  溢流堰
３５  天板
３６  垂れ壁
４０  真空ポンプ
４１  連結パイプ
【図１】
0006439110.tif 000002
【図２】
0006439110.tif 000003
【図３】
0006439110.tif 000004
【図４】
0006439110.tif 000005
【図５】
0006439110.tif 000006
【図６】
0006439110.tif 000007
【図７】
0006439110.tif 000008